(57)【特許請求の範囲】
【請求項１】
検査枠にテストレンズを枠入れして装用テストを行うために使用される多数のテストレンズと、各々のテストレンズを所定の位置に収納するテストレンズトレイと、テストレンズトレイを配置するレンズトレイ配置スペースと、を有するテストレンズ収納器において、前記テストレンズトレイに収納されるテストレンズを一時的に保管するために、前記テストレンズトレイ配置スペースの周辺部に、テストレンズを保護しうる弾性体で形成され、テストレンズを弾性体でサンドイッチ状に保持するテストレンズ一時保管部を設けることを特徴とするテストレンズ収納器。
【請求項２】
被検眼を検査するテストレンズを収納するテストレンズ収納器において、種々のテストレンズを所定の位置に収納するテストレンズトレイを配置するレンズトレイ配置スペースと、テストレンズを一時的に保管するためにレンズを保護しうる弾性体で形成され，テストレンズをサンドイッチ状に保持する一時保管部と、前記テストレンズトレイ全体を傾斜させるためにテストレンズ収納器の底部に高さ可変の脚部と、を設けたことを特徴とするテストレンズ収納器
【発明の詳細な説明】
【０００１】
【発明の属する技術分野】
本発明は、被検眼を検査するテストレンズを収納するテストレンズ収納器に関する。
【０００２】
【従来技術】
検眼においては、被検者が掛ける検査枠に各種のテストレンズを配置して眼鏡処方の装用テストを行う方法が広く活用されている。テストレンズには各種度数の柱面レンズ、球面レンズ及びプリズムレンズ等があり、一般にこれら多数のテストレンズが１セットとしてテストレンズ収納器に配置されている。検眼時にはテストレンズ収納器から必要なテストレンズを取り出し、検査枠に配置するテストレンズを交換しながら装用テストを行うが、交換したテストレンズは処方テストが終了するまでテストレンズ収納器に戻すことなく、テーブル等の上に放置されることが多い。
【０００３】
また、スタンドが取り付けられたテストレンズ収納器では、交換したテストレンズを一時的に置くための平板状のレンズ置き場が設けられたものもある。
【０００４】
【発明が解決しようとする課題】
しかしながら、テーブルや平板状のレンズ置き場にはテストレンズがベタ置きの状態となるので、テストレンズの取り扱いが難しいという問題があった。すなわち、一旦置いたテストレンズは摘み難く、このためレンズ面を触って指紋等の汚れが付着しやすい。レンズ面の汚れは装用テスト時の見え具合に影響するので、清掃を頻繁に行う必要がある。また、テストレンズは落下させて破損させやすく、乱雑に置かれた場合にはレンズ同士が当たってキズを付けやすい。
【０００５】
本発明は、上記従来技術の欠点に鑑み、検眼時に交換したテストレンズを一時的に保管する場合に、テストレンズの取り扱い操作を容易にすることが可能なテストレンズ収納器を提供することを技術課題とする。
【０００６】
【課題を解決するための手段】
上記課題を解決するために、本発明は以下のような構成を備えることを特徴とする。
【０００７】
（１）  検査枠にテストレンズを枠入れして装用テストを行うために使用される多数のテストレンズと、各々のテストレンズを所定の位置に収納するテストレンズトレイと、テストレンズトレイを配置するレンズトレイ配置スペースと、を有するテストレンズ収納器において、前記テストレンズトレイに収納されるテストレンズを一時的に保管するために、前記テストレンズトレイ配置スペースの周辺部に、テストレンズを保護しうる弾性体で形成され、テストレンズを弾性体でサンドイッチ状に保持するテストレンズ一時保管部を設けることを特徴とする。
（２）被検眼を検査するテストレンズを収納するテストレンズ収納器において、種々のテストレンズを所定の位置に収納するテストレンズトレイを配置するレンズトレイ配置スペースと、テストレンズを一時的に保管するためにレンズを保護しうる弾性体で形成され，テストレンズをサンドイッチ状に保持する一時保管部と、前記テストレンズトレイ全体を傾斜させるためにテストレンズ収納器の底部に高さ可変の脚部と、を設けたことを特徴とする。
【００１３】
【発明の実施の形態】
以下、本発明の実施形態を図面に基づいて説明する。図１は本発明に係るレンズ収納器の斜視図、図２はレンズ収納器を上から見た時の図であり、図３は図２のＡ−Ａ断面図である。
【００１４】
テストレンズ収納器１はツマミ２ａを持つ各種のテストレンズ２を所定の位置に収納するトレイ１０ａ〜１０ｄとトレイ枠２０とから大別構成される。トレイ１０ａ〜１０ｄとトレイ枠２０はそれぞれ分離可能となっており、トレイ１０ａ〜１０ｄはトレイ枠２０内の配置スペース２１に配置して使用する。
【００１５】
各トレイ１０ａ〜１０ｄは同一のプラスチックの成型品からなり、テストレンズ２を２枚ずつ図２上の縦方向に個別に配置するために溝１１が多数形成されている。各トレイ１０ａ〜１０ｄがそれぞれ有する仕切り上面１２には、各々のテストレンズ２の収納位置を指定するために、レンズ度数を示す数字やマーク等の表示が溝１１の位置に対応させて付されている。
【００１６】
各トレイ１０ａ〜１０ｄの底部（各溝３１の間の底部）は開口１３が形成されており、また、トレイ枠２０側の配置スペース２１の底部も開口３０が形成された構造となっている。これにより、ホコリやゴミがこれらの開口１３、３０から落下し、各トレイ１０ａ〜１０ｄ内に溜まらないようになっている。
【００１７】
図３において、３３，３４はゴム足付きの脚部であり、トレイ枠２０の底部に設けられた２本の取付け板３１にビス等によってそれぞれ取付けられている。２本の取付け板３１は、図１に示す如く、配置スペース２１の底部で縦方向に沿って掛け渡されている。使用者から向かって奥側に取付けられた脚部３４は回転アーム３４ａを備え、回転アーム３４ａは図３上の点線で示すよう回転させて立てることができと共に、図示なきクリック機構により立てた状態を保持できる構造となっている。
【００１８】
テストレンズ収納器１をテーブル等に置く時は、図４（ａ）に示すように、回転アーム３４ａを立てることによってテストレンズ収納器１全体を傾斜させることで、テストレンズ２を取り出し易くできる。また、脚部３４の取付け位置は取付け板３１の長手方向に沿って複数の個所で変更可能であり（取付け板３１には脚部３４をビス止めするネジ穴が予め複数個所に設けられている）、この脚部３４の取付け位置を変更することによって、図４（ｂ）に示すように、テストレンズ収納器１全体の傾斜角度を調節できるように、斜角調節部が構成される。
【００１９】
また、テストレンズ収納器１を机の引き出し等に収納するときは、立てた回転アーム３４ａを戻せば、コンパクトにして収納できる。
【００２０】
トレイ枠２０の手前側には、検眼時に交換したテストレンズ２を一時的に保管するための保管部２３が設けられている。保管部２３は２つの横長のクッション部材２４ａ，２４ｂを備え、クッション部材２４ａ，２４ｂの間にテストレンズ１０をサンドイッチ状に挟み込んで保持する構成となっている。各クッション部材２４ａ，２４ｂは内部にスポンジ等の弾性体を入れ、その外層をレンズ拭きに適した布で覆って構成している。これにより、テストレンズ２を挟み込んだ際にレンズ面を保護できると共に、レンズ面の清掃もできるようになっている。また、このクッション部材２４ａ，２４ｂは、図３に示すように、トレイ枠２０に形成された横長の凹部２６に脱着自在に入れられており、汚れた場合には取り外して洗濯、又は別のものに交換が可能である。
【００２１】
なお、保管部２３はトレイ枠２０の周辺であれば上側や左右側に設けても良いが、テストレンズ収納器１を傾斜させたときに最も低い位置となる手前側に設けると、テストレンズ２を保管するための作業が行いやすい。また、保管部２３は複数の個所に設けても良い。
【００２２】
本実施形態のテストレンズ収納器１は、以上のような構成となっており、検査枠による処方テスト時にトレイ１０ａ〜１０ｄから取り出して交換したテストレンズ２は、保管部２３に一時的に置く。このとき検者はテストレンズ２のツマミ２ａを持ったまま、クッション部材２４ａ，２４ｂの間にレンズ面を差し込んで保管する。検査枠による処方テスト時には、通常、数枚のテストレンズ２が使用されるが、横長のクッション部材２４ａ，２４ｂの間に並べて差し込むことにより、レンズ同士が重なることなく、レンズ面にキズを付けなくて済む。また、クッション部材２４ａ，２４ｂで挟み込む部分は外部に露出していないので、ゴミや埃が入り込むことが防止され、レンズ面にゴミや埃が付着する可能性が極めて少ない。また、レンズ面はクッション部材２４ａ，２４ｂによって保護される。
【００２３】
クッション部材２４ａ，２４ｂの間に挟んだテストレンズ２は、ツマミ２ａの部分が上に出た状態となるので、再び使用するときや各トレイ１０ａ〜１０ｄに戻すときにも、検者はレンズ面に触れて汚すことなく、テストレンズ２を容易に取り出すことができる。ツマミ２ａを持ちやすいので、テストレンズ２を落下させて破損させる危険性も少ない。
【００２４】
また、レンズ面の清掃を行うときは、クッション部材２４ａ，２４ｂによる挟み込み部分でテストレンズ２を横方向にスライドさせれば、簡単に汚れを落とすことができる。通常、レンズ面の清掃時には、片手でテストレンズ２を持ち、もう片方の手でレンズ拭きの布を持って吹き上げ作業を行うが、本実施形態のテストレンズ収納器では片手で簡単に清掃ができる。
【００２５】
図５は一時保管部２３の変容例を示す図であり、トレイ枠２０の手前側のクッション部材２４ａを傾動可能にした構成である。クッション部材２４ａはマジックテープ等により手前側の枠縁２０ａに着脱自在に取付けられており、枠縁２０ａが蝶番２８によって傾動可能とされている。この構成の場合、従来のようにテストレンズ２をベタ置き（レンズ面を平面状に置く）にする保管を可能にする。同時にツマミ２ａの部分は外側へ出るので摘み易く、テストレンズ２の取り扱いを容易にする。また、テストレンズ２は点線のように置くこともできる。
【００２６】
【発明の効果】
以上説明したように、本発明によれば、テストレンズを一時的に保管する場合に、テストレンズの取り扱い操作を容易にすることができる。また、レンズ面の清掃を簡単に行うことができる。
【図面の簡単な説明】
【図１】本発明に係るレンズ収納器の斜視図である。
【図２】レンズ収納器を上から見た時の図である。
【図３】図２のＡ−Ａ断面図である。
【図４】テストレンズ収納器を傾斜させてテーブル等に置く場合の説明図である。
【図５】一時保管部の変容例を示す図である。
【符号の説明】
１  テストレンズ収納器
２  テストレンズ
１０ａ，１０ｂ，１０ｃ，１０ｄ  トレイ
２０  トレイ枠
２１  配置スペース
２３  保管部
２４ａ，２４ｂ  クッション部材
３３，３４  脚部
３４ａ  回転アーム
【図１】
0003839219.tif 000002
【図２】
0003839219.tif 000003
【図３】
0003839219.tif 000004
【図４】
0003839219.tif 000005
【図５】
0003839219.tif 000006